(57)【要約】【課題】次回の担当薬剤師を指定可能とし、薬剤師の業務の効率化を図る。【解決手段】携帯端末３０ａでは、入力部３２を介して後算定が指示され、後算定対象の患者が選択されると、選択された患者の過去指導データに基づいて認証された薬剤師が次回の担当薬剤師として指定された薬剤師であるか否かが判別され、指定された薬剤師であれば後算定処理に移行し、今回受け付けられた処方箋データの表示及び調剤管理料金等の料金算定のデータ処理が実行される。そして、指定された薬剤師でなければ次回の担当薬剤師が他の薬剤師に指定されている旨を示す警告メッセージが表示部３３に表示され、その患者の後算定処理を行うことが制限される。さらに指定解除が指示されると担当薬剤師の指定を解除して後算定処理が実行される。【選択図】図８
2005245763.tif 000002
【特許請求の範囲】
【請求項１】
処方箋データに基づいて受付患者の調剤又は服薬指導に関するデータ処理を行う調剤支援装置において、
調剤又は服薬指導を行った薬剤師が当該調剤又は服薬指導が行われた患者の次回の担当薬剤師となるように指定する指定情報を当該患者に対応付けて記憶する指定薬剤師記憶手段と、
調剤又は服薬指導時に、調剤又は服薬指導を行う薬剤師を認証する認証手段と、
調剤又は服薬指導対象の患者を選択するための選択手段と、
前記選択された患者に対応する担当薬剤師の指定情報を前記記憶手段から取得し、当該取得された指定情報に基づいて、前記認証された薬剤師が前記選択された患者の次回の担当薬剤師として指定された指定薬剤師であるか否かを判別する判別手段と、
前記判別手段による判別の結果、前記認証された薬剤師が前記選択された患者の指定薬剤師ではないと判別された場合、当該認証された薬剤師によるデータ処理操作を制限する制御手段と、
を備えることを特徴とする調剤支援装置。
【請求項２】
前記判別手段により前記認証された薬剤師が前記選択された患者の指定薬剤師ではないと判別された場合、当該患者は担当薬剤師が指定されている旨を警告する警告手段と、
を備えることを特徴とする請求項１に記載の調剤支援装置。
【請求項３】
前記制御手段は、指定薬剤師の指定解除操作がなされると、当該担当薬剤師が指定された受付患者に対する操作制限を解除することを特徴とする請求項１又は２に記載の調剤支援装置。
【請求項４】
過去に調剤又は服薬指導を行った担当薬剤師の履歴を患者毎に記憶する履歴記憶手段と、
前記記憶された過去の担当薬剤師のうち、次回の担当薬剤師を指定する指定手段と、を備え、
前記指定薬剤師記憶手段は、前記指定された担当薬剤師の識別情報を次回の担当薬剤師の指定情報として記憶することを特徴とする請求項１〜３の何れか一項に記載の調剤支援装置。
【請求項５】
処方箋データに基づいて受付患者の調剤又は服薬指導に関するデータ処理を行うコンピュータに、
調剤又は服薬指導が行われた患者の次回の調剤又は服薬指導を担当する薬剤師の指定情報を当該患者に対応付けて記憶手段に記憶させる機能と、
調剤又は服薬指導時に、調剤又は服薬指導を行う薬剤師を認証する機能と、
調剤又は服薬指導対象の患者を選択するための機能と、
前記選択された患者に対応する担当薬剤師の指定情報を前記記憶手段から取得し、当該取得された指定情報に基づいて、前記認証された薬剤師が前記選択された患者の指定薬剤師であるか否かを判別する機能と、
前記判別手段による判別の結果、前記認証された薬剤師が前記選択された患者の指定薬剤師ではないと判別された場合、当該認証された薬剤師によるデータ処理操作を制限する機能と、
を実現させるためのプログラム。
【発明の詳細な説明】
【技術分野】
【０００１】
本発明は、患者に処方する薬剤の処方箋データ、調剤時に患者にした指導に関する指導データ等の調剤に関する各種情報のデータ処理を行う調剤支援装置及びプログラムに関する。
【背景技術】
【０００２】
医療の分野においては、医師により指示された処方箋に基づいて、薬剤師により調剤された薬剤が患者に手渡されている。従来から、薬剤師による調剤業務の負担を軽減させるために、薬局内に処方箋データや各種薬剤に関する情報を管理するホストコンピュータを設置し、このホストコンピュータから薬剤師が所望する情報を検索して薬剤師が携帯する携帯端末にダウンロードすることができる調剤支援装置が開発されている（例えば、特許文献１参照）。
【特許文献１】特開２００３−１０８６６７号公報
【発明の開示】
【発明が解決しようとする課題】
【０００３】
上記調剤支援装置では、調剤対象の患者に関する個人情報や、調剤する薬剤に関する服薬指導情報を薬剤師に提供することができるが、過去その患者に対してどのような服薬指導が為されたのか、患者の待ち時間はどれだけだったのか等、過去の調剤時における状況を確認することができない。そのため、今回も同じ説明を繰り返してしまったり、長く患者を待たせてしまったりと、患者の不満を招いてしまう場合もある。
【０００４】
また、１人の患者に対してかかりつけの薬剤師を設定し、継続して服薬指導を行った方が、指導の質が向上するとともに効率が良いが、薬局に複数の薬剤師がいる場合、上記調剤支援装置では前回の担当薬剤師を確認することができないため、１人の患者に対して常に同じ薬剤師が担当となるわけではなかった。
【０００５】
本発明の課題は、次回の担当薬剤師を指定可能とし、薬剤師の業務の効率化を図ることである。
【課題を解決するための手段】
【０００６】
請求項１に記載の発明は、
処方箋データに基づいて受付患者の調剤又は服薬指導に関するデータ処理を行う調剤支援装置において、
調剤又は服薬指導を行った薬剤師が当該調剤又は服薬指導が行われた患者の次回の担当薬剤師となるように指定する指定情報を当該患者に対応付けて記憶する指定薬剤師記憶手段と、
調剤又は服薬指導時に、調剤又は服薬指導を行う薬剤師を認証する認証手段と、
調剤又は服薬指導対象の患者を選択するための選択手段と、
前記選択された患者に対応する担当薬剤師の指定情報を前記記憶手段から取得し、当該取得された指定情報に基づいて、前記認証された薬剤師が前記選択された患者の次回の担当薬剤師として指定された指定薬剤師であるか否かを判別する判別手段と、
前記判別手段による判別の結果、前記認証された薬剤師が前記選択された患者の指定薬剤師ではないと判別された場合、当該認証された薬剤師によるデータ処理操作を制限する制御手段と、
を備えることを特徴とする。
【０００７】
請求項５に記載の発明は、
処方箋データに基づいて受付患者の調剤又は服薬指導に関するデータ処理を行うコンピュータに、
調剤又は服薬指導が行われた患者の次回の調剤又は服薬指導を担当する薬剤師の指定情報を当該患者に対応付けて記憶手段に記憶させる機能と、
調剤又は服薬指導時に、調剤又は服薬指導を行う薬剤師を認証する機能と、
調剤又は服薬指導対象の患者を選択するための機能と、
前記選択された患者に対応する担当薬剤師の指定情報を前記記憶手段から取得し、当該取得された指定情報に基づいて、前記認証された薬剤師が前記選択された患者の指定薬剤師であるか否かを判別する機能と、
前記判別手段による判別の結果、前記認証された薬剤師が前記選択された患者の指定薬剤師ではないと判別された場合、当該認証された薬剤師によるデータ処理操作を制限する機能と、
を実現させるためのプログラムであることを特徴とする。
【発明の効果】
【０００８】
請求項１、５に記載の発明によれば、調剤又は服薬指導を行った薬剤師が次回の担当薬剤師となるように指定情報を記憶し、この指定情報に基づいて調剤又は服薬指導時に認証された薬剤師が選択された患者の指定薬剤師ではないと判別されると、認証された薬剤師によるデータ処理操作を制限するので、指定薬剤師のみが調剤又は服薬指導を行うことができ、各患者に対し専用の担当薬剤師を設定することができる。従って、常に同一の患者を担当することができ、薬剤師の調剤業務の効率が向上するとともに、患者の調剤又は服薬指導に対する満足度も向上する。
【０００９】
請求項２に記載の発明によれば、認証された薬剤師が指定薬剤師ではないと判別されると警告をするので、選択された患者は他に担当薬剤師が指定されていることを促すことができる。
【００１０】
請求項３に記載の発明によれば、指定解除操作がなされると、データ処理の操作制限を解除するので、例えば指定薬剤師が不在等といった場合には担当薬剤師の指定を解除して別の薬剤師が担当となるといったような対応をとることができ、操作性が向上する。
【００１１】
請求項４に記載の発明によれば、過去の担当薬剤師を記憶し、この過去の担当薬剤師の中から指定された薬剤師の識別情報を次回の担当薬剤師の指定情報として記憶するので、過去の担当薬剤師の中から次回の担当薬剤師を指定することができ、利便性が良い。
【発明を実施するための最良の形態】
【００１２】
まず、構成を説明する。
図１に、本実施の形態における調剤支援装置（以下、調剤支援システムと称呼する）１００のシステム構成を示す。図１に示すように、調剤支援システム１００は、レセプトコンピュータ１０と、携帯端末３０ａ〜３０ｃとが通信ネットワークＮを介して情報の送受信が可能に接続されている。また、レセプトコンピュータ１０には、プリンタ１０ａが接続されている。なお、図１には、１台のレセプトコンピュータ１０、３台の携帯端末３０ａ〜３０ｃが接続された例を示したが、その設置台数は特に限定しない。
【００１３】
通信ネットワークＮは、ＬＡＮ（Local Area Network）、ＷＡＮ（Wide Area Network）、インターネット等の様々な通信形態が適用可能である。
【００１４】
以下、各構成装置について説明する。
レセプトコンピュータ１０は、処方箋データ、患者に関する情報、薬剤に関する情報等、薬局内の各種情報のデータ入力を受け付けて管理するホストコンピュータであり、携帯端末３０ａ〜３０ｃからの要求に応じて各種情報を携帯端末３０ａ〜３０ｃに送信する。
【００１５】
図２に、レセプトコンピュータ１０の内部構成を示す。
図２に示すように、レセプトコンピュータ１０は、制御部１１、入力部１２、表示部１３、通信部１４、ＲＡＭ（Random Access Memory）１５、記憶部１６、Ｉ／Ｆ（InterFace）１７を備えて構成され、各部はバス１８により接続されている。
【００１６】
制御部１１は、ＣＰＵ（Central Processing Unit）等から構成され、記憶部１６に格納されているシステムプログラムの他、本発明に係る処方箋入力処理プログラム（図９参照）等をＲＡＭ１５に展開して、当該プログラムとの協働により処理動作を統括的に制御する。
【００１７】
制御部１１は、処方箋入力処理において、入力部１２を介して処方箋データが入力されると、当該処方箋データに受付番号を付与してその受付時間の情報とともに処方箋データファイル１６４に格納する。また、受付インデックスデータを生成して受付インデックスフォルダ１５１に格納する。そして、通信部１４を介して携帯端末３０ａ〜３０ｃから処方箋データ等の各種データの要求情報が受信されると、各ファイル１６３〜１６７に記憶されている患者データ、処方箋データ、指導データ、会計データ、過去指導データを読み出して要求元の携帯端末３０ａ〜３０ｃに送信させる。
【００１８】
入力部１２は、数字キー、文字キー、各種機能キー等を備えたキーボードやマウス等のポインティングディバイスを備え、操作されたキーに対応する操作信号を制御部１１に出力する。なお、表示部１３と一体型のタッチパネルを備える構成としてもよい。
【００１９】
表示部１３は、ＬＣＤ（Liquid Crystal Display）やＣＲＴ（Cathode Ray Tube）等から構成され、各種操作画面や制御部１１による処理結果等の各種表示情報を表示する。
【００２０】
通信部１４は、ネットワークインターフェイスカードやモデム等の通信用のインターフェイスを備えて構成され、通信ネットワークＮ上の外部機器と相互に情報の送受信を行う。例えば、携帯端末３０ａ〜３０ｃに処方箋データ等の各種データを送信するとともに、携帯端末３０ａ〜３０ｃから指導データや会計データ等を受信する。
【００２１】
ＲＡＭ１５は、制御部１１によって実行される各種プログラム及びこれらプログラムに係るデータを一時的に記憶するワークエリアを形成する。
【００２２】
また、ＲＡＭ１５は、レセプトコンピュータ１０において新規登録された処方箋データの有無を携帯端末３０ａ〜３０ｃに通知するための受付インデックスフォルダ１５１及び各携帯端末３０ａ〜３０ｃにおいて後算定が行われたか否かを確認するための後算定インデックスフォルダ１５２を格納する。
【００２３】
受付インデックスフォルダ１５１は、新規に処方箋データが登録される毎に制御部１１において生成される受付インデックスデータを格納するためのフォルダであり、図３（ａ）に示すように、処方箋データを受け付けた年月日及び処方箋データに付与された受付番号からなる受付インデックスデータ（例えば、“２００３０７１５０１０００９” であり、２００３年０７月１５日の受付番号０１０００９等を示したコード）が格納される。
【００２４】
後算定インデックスフォルダ１５２は、各携帯端末３０ａ〜３０ｃにおいて各処方箋データに対する後算定が行われたことを示す後算定インデックスデータを格納するためのフォルダであり、図３（ｂ）に示すように、後算定を行う年月日及び後算定対象の処方箋データに付与された受付番号からなる後算定インデックスデータ（例えば、“２００３０７１５０１００１０”のコード）が格納される。
【００２５】
記憶部１６は、磁気的又は光学的記録媒体、若しくは半導体メモリで構成され、システムプログラムの他、処方箋入力処理プログラム及び各プログラムで処理されたデータ等を記憶する。
【００２６】
また、記憶部１６は、薬剤師登録テーブル１６１、指導管理項目テーブル１６２、患者マスタファイル１６３、処方箋データファイル１６４、指導データファイル１６５、会計データファイル１６６、過去指導データファイル１６７を格納する指定薬剤師記憶手段、履歴記憶手段である。
【００２７】
以下、各テーブル及びファイルについて説明する。
薬剤師登録テーブル１６１は、薬剤師に関する各種情報が登録されたテーブルである。薬剤師登録テーブル１６１には、図４（ａ）に示すように、各薬剤師を識別するために各薬剤師に割り当てられた薬剤師コード１６１ａ（例えば、“０１”等）、薬剤師の氏名１６１ｂ（例えば、“Ｘ”等）、薬剤師を認証する際に用いられる認証情報１６１ｃ（例えば、“××××”等のパスワード）の各項目データが対応付けて格納されている。
【００２８】
指導管理項目テーブル１６２は、薬剤師による服薬指導の指導内容に応じて所定の点数（指導管理料金）が加算される指導項目についての情報を格納するためのテーブルである。指導管理項目テーブル１６２には、図４（ｂ）に示すように、指導管理料金が加算される指導項目を個々に識別するために各指導項目に割り当てられる指導コード１６２ａ（例えば、“１００１”等）、指導項目の名称１６２ｂ（例えば、“薬剤服薬歴・管理指導”等）、その指導項目に対して加算される指導管理料金を示す点数１６２ｃ（例えば、“１７点”等）の各項目データが対応付けて格納されている。
【００２９】
患者マスタファイル１６３は、患者に関する情報を格納するためのファイルである。患者マスタファイル１６３には、患者を個々に識別するために各患者に付与される患者ＩＤ１６３ａ（例えば、“Ａ１０１”等）、患者の氏名１６３ｂ（例えば、“Ａ”等）、患者の年齢１６３ｃ（例えば、“３７”歳等）、患者の性別１６３ｄ（例えば、“男”等）、患者の生年月日１６３ｅ（例えば、“１９６６．７．４”等）などの各項目データが対応付けて格納されている。
【００３０】
処方箋データファイル１６４は、入力された処方箋データを格納するためのファイルである。処方箋データファイル１６４には、図５（ｂ）に示すように、処方箋データに対して付与された受付番号１６４ａ（例えば、“０１００１０”等）、処方箋データが入力された受付時間１６４ｂ（例えば、“１３：１０”等）、処方箋が発行された患者の患者ＩＤ１６４ｃ（例えば、“Ａ１０１”等）、処方される薬剤の名称１６４ｄ（例えば、“○○錠”等）、処方される薬剤の分量１６４ｅ（例えば、“３錠”等）等の各項目データが対応付けて格納される。
【００３１】
指導データファイル１６５は、薬剤師により実施された服薬指導に関する情報（以下、指導情報という。）を格納するためのファイルである。指導データファイル１６５には、図６（ａ）に示すように、処方箋データの受付番号１６５ａ（例えば、“０１００１０”等）、指導開始時間１６５ｂ（例えば、“１３：４０”等）、指導終了時間１６５ｃ（例えば、“１３：５２”等）、処方箋データに基づく調剤及び服薬指導を担当した担当薬剤師の薬剤師コード１６５ｄ（例えば、“０１”等）、指導内容に応じて加算される指導管理料金の指導項目を示す指導コード１６５ｅ（例えば、“１００１”等）の各項目データが対応付けて格納される。
【００３２】
会計データファイル１６６は、調剤料金及び指導管理料金の各料金情報を管理するためのファイルである。調剤料金には、調剤技術料金及び薬剤自体にかかる薬剤料金が含まれ、調剤技術料金には、薬局によって予め定められている基本料金と、内服薬、外用薬等の薬剤の種類により加算される調剤種料金と、薬剤師の調剤作業（錠剤をすりつぶして粉末にする、練る等の作業）に対して加算される調剤加算料金が含まれる。各料金は通常、点数で表され、通常１点＝１０円で計算される。
【００３３】
会計データファイル１６６には、図６（ｂ）に示すように、処方箋データの受付番号１６６ａ（例えば、“１００１０”等）、調剤料金１６６ｂに含まれる調剤技術料金１６６ｃ（例えば、“１００点”等）及び薬剤料金１６６ｄ（例えば、“４００点”等）、指導管理料金１６６ｅ（例えば、“４７点”）、調剤料金及び指導管理料金の合計料金１６６ｆ（例えば、“５４７点”等）の各項目データが格納される。
【００３４】
過去指導データファイル１６７は、過去に行われた調剤又は服薬指導に関連する調剤関連データ（以下、過去指導データという）の履歴を格納するためのファイルである。過去指導データファイル１６７には、図７に示すように、服薬指導が行われた処方箋データの受付年月日１６７ａ（例えば、“２００３０７１５”等、上述した年月日と同様））、受付番号１６７ｂ（例えば、“１００１０”等）、処方箋が受け付けられた患者の患者ＩＤ１６７ｃ（例えば、“Ａ１０１”等）、服薬指導に要した指導時間１６７ｄ（例えば、“１２分”等）、担当薬剤師の薬剤師コード１６７ｅ（例えば、“０１”等）、服薬指導が行われるまでの患者の待ち時間１６７ｆ（例えば、“３３分”等）、指導内容に応じて加算される指導管理料金の指導項目を示す指導コード１６７ｇ（例えば、“１００１”、“１００２”等）、次回の担当薬剤師として指定された薬剤師の指定薬剤師コード１６７ｈ（例えば、“０１”等。特に指定された薬剤師がいなければ担当薬剤師が未指定であることを示すコード“００”が格納される。）の各項目データが対応付けて格納される。
【００３５】
また図示はしないが、記憶部１６には、薬剤料金の算出のために各種薬剤に加算される料金の情報や、薬剤の効用、副作用、相互作用等の薬剤に関する情報等、その他の情報を格納していることとする。
【００３６】
Ｉ／Ｆ１７は、プリンタ１０ａと接続するためのインターフェイスであり、レセプトコンピュータ１０とプリンタ１０ａとの間でデータの転送速度の調整や、データ形式の変換を行い、両者のデータのやり取りを仲介する。
【００３７】
プリンタ１０ａは、レセプトコンピュータ１０からＩ／Ｆ１０ａを介して入力される印刷用のデータに基づいて印刷出力を行うものである。プリンタ１０ａは、レセプトコンピュータ１０の制御部１１から入力された帳票データに基づいて、薬剤師毎に指導時間、指導項目等の指導内容をまとめた帳票を印刷出力する。なお、薬剤師の調剤業務のためにプリンタ１０ａにより処方箋データ、過去指導データ等を印刷出力する構成としてもよい。
【００３８】
次に、携帯端末３０ａ〜３０ｃについて説明する。
携帯端末３０ａ〜３０ｃは、薬剤師により携帯されるものであり、通信機能を備えてレセプトコンピュータ１０から処方箋データを受信して表示する。携帯端末３０ａ〜３０ｃとしては、例えばＰＤＡ（Personal Digital Assistant）や携帯電話、ノートパソコン等の可搬型コンピュータ等が適用可能である。また、通信機能を備えたデジタルカメラ等であってもよい。
【００３９】
以下、図８を参照して、携帯端末３０ａ〜３０ｃの内部構成について説明するが、携帯端末３０ａ〜３０ｃの基本構成は同一であるので、携帯端末３０ａを代表としてその構成説明を行うこととする。
【００４０】
図８は、携帯端末３０ａの内部構成を示す図である。
図８に示すように、携帯端末３０ａは、制御部３１、入力部３２、表示部３３、通信部３４、ＲＡＭ３５、記憶部３６から構成され、各部はバス３７により接続される。
【００４１】
制御部３１は、ＣＰＵ等から構成され、記憶部３６に格納されるシステムプログラムの他、本発明に係るデータ読込処理プログラム（図１０参照）、情報表示処理プログラム（図１１参照）、待ち患者表示処理プログラム（図１２参照）、表示順変更処理プログラム（図１４参照）、ランク付け処理（図１６参照）、後算定処理（図１９参照）等をＲＡＭ３５に展開して、当該プログラムとの協働により処理動作を統括的に制御する。
【００４２】
制御部３１は、データ読込処理において、通信部３４を介してレセプトコンピュータ１０から処方箋データ、患者データ、指導データ、会計データ、過去指導データを受信すると、当該受信された各データをそれぞれ処方箋データファイル３６４、指導データファイル３６５、会計データファイル３６６、過去指導データファイル３６７に格納する。
【００４３】
また、情報表示処理では、携帯端末３０ａを操作する薬剤師の認証を行って各ファイル３６４〜３６７に格納されたデータに基づいてまだ未調剤の受付患者をリスト表示する待ち患者表示処理を実行するとともに、調剤済みの受付患者の一覧リストを待ち患者リストとして表示する。待ち患者リストでは認証された薬剤師が前回の担当薬剤師である受付患者を識別表示させるとともにリストの先頭に表示させる。次いで、表示された待ち患者リストにおいて、表示順の変更が指示されると表示順変更処理を実行して指定された変更条件で表示順を変更し、変更された表示順で待ち患者リストを再表示させる。また、ランク設定が指示されるとランク付け処理を実行して、調剤関連データに基づいて各受付患者を分類してその分類を示すランクを設定し、設定されたランクを付して待ち患者リストを再表示させる。さらに、待ち患者リストにおいて選択された患者の過去指導データの表示が指示されると、当該患者に対応する過去指導データを過去指導データファイル３６７から取得して、表示部３３に表示させる。
【００４４】
そして、後算定が指示され、後算定対象の患者が選択されると、選択された患者の過去指導データに基づいて認証された薬剤師が次回の担当薬剤師として指定された薬剤師であるか否かを判別し、指定された薬剤師であれば後算定処理に移行し、今回受け付けられた処方箋データの表示及び調剤管理料金等の料金算定の処理を実行する。そして、指定された薬剤師でなければ次回の担当薬剤師が他の薬剤師に指定されている旨を示す警告メッセージを表示部３３に表示させ、その患者の調剤及び後算定を行うことを制限する。さらに指定解除が指示されると担当薬剤師の指定を解除して後算定処理に移行する。
【００４５】
後算定処理では、指導管理料金の算定項目が選択されると、当該選択された算定項目に応じて指導データ及び会計データを生成して指導データファイル３６５、会計データファイル３６６にそれぞれ格納する。次いで、各ファイル３６３〜３６６に格納された各データに基づいて今回の調剤に関連する調剤関連データである過去指導データを生成し、過去指導データファイル３６７に格納する。すなわち、情報表示処理プログラムと制御部３１との協働により認証手段、判別手段、制御手段を実現することができる。
【００４６】
入力部３２は、数字キー、文字キー、各種機能キー等のキー群や、表示部３３と一体に構成されるタッチパネルから構成され、押下されたキー又はタッチパネル上でタッチされた位置に応じた操作信号を制御部３１に出力する。この入力部３２を介して薬剤師の認証情報を入力する、調剤又は服薬指導対象の患者を選択入力する、或いはある患者に対する次回の担当薬剤師を選択指定することができる。すなわち、入力部３２により選択手段、指定手段を実現することができる。
【００４７】
表示部３３は、ＬＣＤから構成され、各種操作画面や処方箋データ、警告メッセージ等の各種表示情報を表示する。すなわち、表示部３３により警告手段を実現することができる。
【００４８】
通信部３４は、携帯電話やＰＨＳ（Personal Handy-phone System）等の通信端末を接続するためのインターフェイスやモデム、通信制御部等から構成される。通信時には、通信制御部により携帯電話又はＰＨＳの通信動作を制御して通信ネットワークＮ上の外部機器とデータの送受信を行う。この通信部３４を介してレセプトコンピュータ１０から処方箋データや会計データを受信したり、レセプトコンピュータ１０に指導開始時間、指導終了時間の情報や、指導管理料金の情報として指導コードのデータを送信したりする。
【００４９】
ＲＡＭ３５は、制御部３１によって実行される各種プログラム及びこれらプログラムに係るデータを一時的に記憶するワークエリアを形成する。
【００５０】
記憶部３６は、半導体メモリ等から構成され、システムプログラムの他、データ読込処理プログラム、情報表示処理プログラム、待ち患者表示処理プログラム、表示順変更処理プログラム、ランク付け処理プログラム、後算定処理プログラム及び各プログラムで処理されたデータ等を記憶する。
【００５１】
また、記憶部３６は、薬剤師登録テーブル３６１、指導管理項目テーブル３６２、患者マスタファイル３６３、処方箋データファイル３６４、指導データファイル３６５、会計データファイル３６６、過去指導データファイル３６７を格納する。
【００５２】
薬剤師登録テーブル３６１のデータ構成は、レセプトコンピュータ１０の薬剤師登録テーブル１６１と、指導管理項目テーブル３６２のデータ構成は指導管理項目テーブル１６２と同一であるので、その図示及び説明は省略する。
【００５３】
また、患者マスタファイル３６３のデータ構成は、レセプトコンピュータ１０の患者マスタファイル１６３と、処方箋データファイル３６４のデータ構成は処方箋データファイル１６４と、指導データファイル３６５のデータ構成は指導データファイル１６５と、会計データファイル３６６のデータ構成は会計データファイル１３６と、過去指導データファイル３６７のデータ構成は過去指導データファイル３６７と同一であるので、その図示及び説明は省略する。
【００５４】
次に、本実施の形態における動作を説明する。
図９は、レセプトコンピュータ１０により実行される処方箋入力処理を説明するフローチャートである。この処方箋入力処理は、レセプトコンピュータ１０に入力された処方箋データを携帯端末３０ａ〜３０ｃに送信する処理である。
【００５５】
図９に示す処方箋入力処理では、まずオペレータにより入力部１２を介して処方箋データの入力が行われると（ステップＡ１）、次の処理が判断される（ステップＡ２）。処理終了が指示された場合は（ステップＡ２；処理終了）、本処理を終了し、キャンセルが指示された場合は（ステップＡ２；キャンセル）、処方箋データの入力が中断され、ステップＡ１の処理に戻って新たに処方箋データの入力が受け付けられる。
【００５６】
一方、処方箋データの入力終了が指示された場合は（ステップＡ２；入力終了）、入力された処方箋データの登録処理が行われる（ステップＡ３）。処方箋データの登録処理では、まず入力された処方箋データに対して新規の受付番号が発行され、発行された受付番号に対応付けて処方箋データが処方箋データファイル１６４に格納される。また、処方箋データの入力を受け付けた受付時間の情報が処方箋データファイル１６４に格納される。
【００５７】
処方箋データが新規登録されると、処方箋データが入力された年月日及び処方箋データに付与された受付番号からなる受付インデックスデータが生成され、受付インデックスフォルダ１５１に格納される（ステップＡ４）。
【００５８】
次いで、携帯端末３０ａ〜３０ｃからの各種データの読み出し要求が待機され、何れかから読み出し要求がなされたか否かが判別される（ステップＡ５）。ここでは、携帯端末３０ａから読み出し要求が為されたこととして説明するが、携帯端末３０ｂ、３０ｃからの場合も同様の処理が行われる。そして、携帯端末３０ａから受付インデックスデータが受信され、その受付インデックスデータに対応するデータの読み出し要求がなされると（ステップＡ５；Ｙ）、受信された受付インデックスデータの受付番号に対応する処方箋データが処方箋データファイル１６４から取得され、通信部１４を介して携帯端末３０ａに送信される（ステップＡ６）。
【００５９】
次いで、送信された処方箋データに含まれる患者ＩＤを元にその処方箋データに対応する患者データが患者マスタファイル１６３から読み出され、通信部１４を介して携帯端末３０ａに送信される（ステップＡ７）。また、受信された受付インデックスデータの受付番号に対応する指導データが指導データファイル１６５から取得されるとともに、当該受付番号に対応する会計データが会計データファイル１６６から取得され、これら指導データ及び会計データが通信部１４を介して携帯端末３０ａに送信される（ステップＡ８）。
【００６０】
さらに、送信された処方箋データに含まれる患者ＩＤに対応する過去指導データが過去指導データファイル１６７から読み出され、通信部１４を介して携帯端末３０ａに送信される（ステップＡ９）。このようにして、各種データが携帯端末３０ａ〜３０ｃに送信されると、ステップＡ１の処理に戻り、上述したように処方箋データの登録、データの配信を繰り返す。
【００６１】
次に、図１０を参照して、携帯端末３０ａ〜３０ｃにより実行されるデータ読込処理について説明する。以下の説明では、携帯端末３０ａにより処理が実行される例を説明するが、他の携帯端末３０ｂ、３０ｃにおいても同様の処理が行われる。
図１０に示すデータ読込処理では、まず通信部３４を介してレセプトコンピュータ１０にアクセスされ、レセプトコンピュータ１０の受付インデックスフォルダ１５１に格納される受付インデックスデータの一覧が読み込まれる（ステップＢ１）。
【００６２】
次いで、新規に読み込まれた受付インデックスデータの一覧と、既に読み込まれて受付インデックスフォルダ３５１に登録されている受付インデックスデータの一覧とが比較照合され、新規に読み込まれた受付インデックスデータのうち、受付インデックスフォルダ３５１に未登録の受付インデックスデータが有るか否かが判別される（ステップＢ２）。新規に読み込まれた受付インデックスデータと、既に受付インデックスフォルダ３５１に登録されている受付インデックスデータとが全て一致し、未登録の受付インデックスデータが無い場合（ステップＢ２；Ｎ）、ステップＢ１の処理に戻る。
【００６３】
一方、新規に読み込まれた受付インデックスデータのうち、受付インデックスフォルダ３５１に未登録の受付インデックスデータが有る場合（ステップＢ２；Ｙ）、その未登録の受付インデックスデータに対応する各種データの要求情報が生成され、レセプトコンピュータ１０に送信される。そして、レセプトコンピュータ１０から受付インデックスデータに対応する処方箋データが受信されると、当該処方箋データの読込が行われ、処方箋データファイル３６４に格納される（ステップＢ３）。
【００６４】
次いで、未登録の受付インデックスデータに対応する患者データが受信されると、当該患者データの読込が行われ、当該患者データが患者マスタファイル３６３に格納される（ステップＢ４）。同様に、未登録の受付インデックスデータに対応する指導データ及び会計データが受信されると、指導データ及び会計データの読込が行われ、それぞれ指導データファイル３６５、会計データファイル３６６に格納される（ステップＢ５）。さらに、未登録の受付インデックスデータに対応する過去指導データが受信されると、当該過去指導データの読込が行われ、過去指導データファイル３６７に格納される（ステップＢ６）。
【００６５】
以上のような各種データの読込が未登録の受付インデックスデータ全てについて終了すると、そのデータの読込が終了した未登録の受付インデックスデータが受付インデックスフォルダ３５１に格納され、登録済み一覧に追加される（ステップＢ７）。受付インデックスデータの登録が終了すると、ステップＢ８の情報表示処理に移行する。
【００６６】
図１１を参照して、ステップＢ８の情報表示処理について説明する。
図１１に示す情報表示処理では、まず待ち患者の一覧リストを表示する待ち患者表示処理が実行される（ステップＣ１）。
【００６７】
ステップＣ１の待ち患者表示処理について図１２を参照して説明する。
図１２に示す待ち患者表示処理では、まず薬剤師を認証するための認証画面（図１３参照）が表示部３３に表示され、薬剤師の認証が行われる（ステップＤ１）。図１３に示すように、認証画面３３１ではパスワード等の認証情報を入力するための入力領域ａ１及び薬剤師名を入力するための入力領域ａ２が表示され、その下部には数字キー、文字キー等のキー群ａ３が表示されている。この認証画面３３１において薬剤師により入力部３２を介して薬剤師の認証情報及び薬剤師名が入力されると、当該入力された認証情報及び薬剤師名と、薬剤師登録テーブル３６１における登録情報とが照合され、一致すれば登録されている薬剤師として認証され、一致しなければ認証エラーが報知される。
【００６８】
次いで、薬剤師の認証が終了すると、今回新規登録された処方箋データが処方箋データファイル３６４から読み出され、当該処方箋データに基づいて受付患者の一覧リストが作成される（ステップＤ２）。次いで、その受付患者毎にその受付患者に対応する過去指導データがその受付患者の患者ＩＤを元に過去指導データファイル３６７から読み出される（ステップＤ３）。そして、読み出された過去指導データから前回の担当薬剤師の情報が取得され、この前回の担当薬剤師とステップＤ１で認証された薬剤師（以下、認証薬剤師という）とが一致するか否かが判断される（ステップＤ４）。
【００６９】
次いで、ステップＤ４の判断結果に基づいて、受付患者の一覧リストにおける、前回の担当薬剤師と認証薬剤師とが一致する受付患者の有無が判別され（ステップＤ５）、一致する受付患者がいなかった場合は（ステップＤ５；Ｎ）、一覧リストにおいて各受付患者が今回の待ち時間が長い順、つまり受付時間が早い順に並べ替えられる（ステップＤ６）。次いで、各受付患者の処方箋データに基づいて各受付患者の処方箋データの受付番号、受付時間、受付時間から経過した待ち時間の情報が取得される。そして、取得された受付番号、患者氏名、受付時間、待ち時間の各情報が、順番が並び替えられた一覧リストに従って受付患者の配列順に配列され、待ち患者リストとして表示部３３に表示される（ステップＤ７）。
【００７０】
一方、受付患者の一覧リストにおいて前回の担当薬剤師と認証薬剤師とが一致する受付患者が有った場合（ステップＤ５；Ｙ）、受付患者の一覧リストからその前回の担当薬剤師と認証薬剤師とが一致する受付患者が抽出され（ステップＤ８）、抽出された受付患者が今回の調剤までの待ち時間が長い順、つまり受付時間が早い順に並べ替えられ、その並べ替えられた一群が一覧リストの先頭に配置される（ステップＤ９）。次いで、前回の担当薬剤師と認証薬剤師とが異なる受付患者の全てが一覧リストから抽出され、抽出された受付患者が待ち時間の長い順に並べ替えられたその一群が一覧リストの後方に配置される（ステップＤ１０）。すわなち、前回の担当薬剤師と認証薬剤師とが一致する受付患者が前方に、一致しない受付患者が後方に配列された一覧リストが作成される。
【００７１】
次いで、各受付患者の処方箋データに基づいて各受付患者の処方箋データの受付番号、受付時間、受付時間から経過した待ち時間の情報が取得され、取得された受付番号、患者氏名、受付時間、待ち時間の各情報が、作成された受付患者の一覧リストに従って受付患者の配列順に配列され、待ち患者リストとして表示部３３に表示される。このとき、認証薬剤師が前回担当した患者を認識しやすいように、前回の担当薬剤師と認証薬剤師とが一致する受付患者に対応する各情報は色を付して表示、太字で表示等、前回の担当薬剤師と認証薬剤師とが一致しない受付患者と識別可能に表示される（ステップＤ１１）。
【００７２】
図１３（ｂ）に、待ち患者リストの表示例を示す。
図１３（ｂ）に示すように、患者選択画面３３２では調剤を待つ各受付患者の受付番号、患者氏名、受付時間、経過時間の情報が待ち患者リストｂ１として表示される。このとき、前回の担当薬剤師と認証薬剤師とが一致する受付患者の情報は、リストの先頭側に配置され識別表示される。そして、前回の担当薬剤師と認証薬剤師とが一致する受付患者群の後方に前回の担当薬剤師と認証薬剤師とが一致しない受付患者群の各情報が表示される。各情報は受付患者の待ち時間が長い順に配列されている。
【００７３】
また、図１３（ｂ）に示すように、患者選択画面３３２では、待ち患者リストｂ１に含まれる各受付患者の順番の並び替えを指示する表示順変更キーｋ１、各受付患者のランク付けを指示するランク設定キーｋ２、各受付患者の過去指導データの表示を指示する過去指導表示キーｋ３が表示される。
【００７４】
以上のようにして待ち患者リストが表示されると、図１１のステップＣ２の処理に移行する。ステップＣ２では、済み患者表示処理が行われ、既に調剤が終了し、会計（後算定）が終了した受付患者が済み患者リストとしてリスト表示される。図１３（ｂ）に示すように、患者選択画面３３２において済み患者リストｂ２は待ち患者リストｂ１の下部に表示され、各受付患者の受付番号、患者氏名、受付時間の情報とともに今回の調剤を担当した薬剤師名がリスト表示される。このとき、認証薬剤師により担当された受付患者がリスト中に含まれる場合、その受付患者の各情報が識別表示される。
【００７５】
済み患者リストが表示されると、操作入力が待機され、表示順変更キーｋ１、ランク設定キーｋ２、過去指導表示キーｋ３の何れが操作されたかが判別される（ステップＣ３）。
【００７６】
まず、表示順変更キーｋ１が操作された場合について説明する。
患者選択画面３３２において表示順変更キーｋ１が操作入力された場合（ステップＣ３；表示順変更キー）、ステップＣ４の表示順変更処理に移行する。
表示順変更処理について、図１４を参照して説明する。
図１４に示す表示順変更処理では、待ち患者リストの各受付患者ｂ１の表示順を並べ替える際の表示順の変更条件を指定する表示順指定画面（図１５参照）が表示部３３に表示される（ステップＥ１）。図１５に示すように、表示順指定画面３３３では、表示順の変更条件、例えば担当薬剤師に拘わらず待ち時間が長い順、認証薬剤師が前回も担当している患者が先頭でかつ待ち時間が長い順等の複数の変更条件が選択可能に表示される。
【００７７】
次いで、表示順指定画面３３２における操作入力が待機され、キャンセルキーが操作され、表示順の変更取消が指示された場合は（ステップＥ２；Ｎ）、次の処理、つまり図１１に示すステップＣ３の処理に移行する。一方、変更条件が選択指定された場合（ステップＥ２；Ｙ）、指定された変更条件で待ち患者リストに含まれる受付患者の表示順が並び替えられ（ステップＥ３）、患者選択画面３３２において並び替えられた表示順で待ち患者リストｂ１が再表示される（ステップＥ４）。待ち患者リストｂ１が再表示されると、次の処理、つまり図１１に示すステップＣ３の処理移行し、患者選択画面３３２における操作入力が待機される。
【００７８】
次に、ランク設定キーｋ２が操作入力された場合について説明する。
患者選択画面３３２においてランク設定キーｋ２が操作入力された場合（ステップＣ３；ランク設定キー）、ステップＣ４のランク付け処理に移行する。
ランク付け処理について、図１６を参照して説明する。
図１６に示すランク付け処理では、まず待ち患者リストに含まれる受付患者の一覧リストが取得され（ステップＦ１）、先頭の受付患者から順に処理番号ｎが付与されるとともに、ＲＡＭ３５において各受付患者に対するＸフラグ、Ｙフラグの記憶領域が設けられる。Ｘフラグは受付患者の担当薬剤師が前回と同一か否かをランク表示する際における、そのランクを示すフラグであり、Ｙフラグは前回の指導からの経過日数をランク表示する際のそのランクを示すフラグである。
【００７９】
次いで、処理番号ｎが初期値１に設定されると（ステップＦ２）、ｎ番目の受付患者の過去指導データが読み出され、当該過去指導データに含まれる前回の担当薬剤師の情報に基づいて、認証薬剤師はｎ番目の受付患者を前回も担当しているか否かが判別される（ステップＦ３）。認証薬剤師が前回の担当薬剤師である場合は（ステップＦ３；Ｙ）、担当薬剤師が前回と今回とで一致する受付患者に分類され、その分類を示すＸフラグが１に設定される（ステップＦ４）。一方、認証薬剤師が前回の担当薬剤師ではない場合は（ステップＦ３；Ｎ）、担当薬剤師が前回と今回とで一致しない受付患者に分類され、その分類を示すＸフラグが０に設定される（ステップＦ５）。
【００８０】
Ｘフラグが設定されると、ｎ番目の受付患者の過去指導データに基づいて、前回の指導からの経過日数が算出され（ステップＦ６）、算出された経過日数に応じて受付患者が分類され、その分類を示すＹフラグが設定される（ステップＦ７）。Ｙフラグは、例えば経過日数が１５日以内であればＡランクを示すフラグ“Ａ”、３０日以内であればＢランクを示すフラグ“Ｂ”、６０日以内であればＣランクを示すフラグ“Ｃ”等のように設定される。
【００８１】
Ｙフラグが設定されると、全ての受付患者についてＸフラグ及びＹフラグが設定されたか否かが判別され（ステップＦ８）、フラグ設定が全員について終了していない場合（ステップＦ８；Ｎ）、処理番号ｎが１インクリメントされて（ステップＦ９）、ステップＦ３の処理に移行し、次のｎ＋１番目の受付患者についてＸフラグ及びＹフラグの設定が行われる。一方、全ての受付患者についてフラグ設定が終了した場合（ステップＦ８；Ｙ）、各受付患者に設定されたＸフラグ及びＹフラグに基づいてランク付けが行われ、図１７（ａ）に示すように待ち患者リストｂ１において各受付患者に対しランクｂ３が付与された患者選択画面３３４が再表示される（ステップＦ１０）。
【００８２】
図１７（ａ）に示すように、患者選択画面３３４では、待ち患者リストｂ１において各受付患者のランクｂ３が表示される。ランクはＸフラグとＹフラグの組み合わせで表示され、例えばＸフラグが“１”、Ｙフラグが“Ａ”と設定された患者のランクは“１Ａ”である。なお、ランク付けが行われた場合、患者選択画面３３４にはランク説明キーｋ４が設けられる。このランク説明キーｋ４が操作されると、図１７（ｂ）に示すようなランク説明画面３３５が表示され、ランク表示の符号の説明が表示される。薬剤師はこのランク説明画面３３５によりランクが示す意味を確認することができる。
このようにして、ランク表示が行われると、ランク付け処理を終了して図１１に示すステップＣ３の処理に戻り、患者選択画面３３５において操作入力が待機される。
【００８３】
次に、過去指導表示キーｋ３が操作入力された場合について説明する。
患者選択画面３３２において過去指導表示キーｋ３が操作入力された場合（ステップＣ３；過去指導表示キー）、待ち患者リストｂ１の中から一の受付患者を選択するようガイダンスが行われ、一の受付患者が選択されると、当該選択された受付患者の過去指導データが過去指導データファイル１６７から読み出され、読み出された過去指導データに基づいて、図１８に示すような指導履歴画面３３６が表示部３３に表示される。図１８に示すように、指導履歴画面３３６では、過去指導データに基づいて過去の調剤における調剤日、指導を行った薬剤師名、その際の患者の待ち時間の各情報が表示される。
【００８４】
次いで、患者選択画面３３２において患者待ちリストｂ１の中から、薬剤師が今回担当する受付患者が選択され、後算定が指示されたか否かが判別される（ステップＣ７）。後算定が指示されていない場合（ステップＣ７；Ｎ）、ステップＣ３の処理に移行し、患者選択画面３３２において操作入力が待機される。一方、後算定が指示された場合（ステップＣ７；Ｙ）、選択された受付患者の過去指導データが過去指導データファイル３６７から読み出され、読み出された過去指導データに含まれる指定薬剤師コードが参照されて、選択された受付患者は次回の担当薬剤師の指定がされているか否かが判別される（ステップＣ８）。次回の担当薬剤師が指定されていない場合（ステップＣ８；Ｎ）、後述するステップＣ１０の後算定処理に移行する。
【００８５】
次回の担当薬剤師が指定されている場合（ステップＣ８；Ｙ）、指定されている担当薬剤師は、認証薬剤師であるか否かが判別される（ステップＣ９）。指定薬剤師コードと認証薬剤師の薬剤師コードとが一致し、指定されている担当薬剤師が認証薬剤師である場合（ステップＣ９；Ｙ）、後述するステップＣ１０の後算定処理に移行する。一方、指定薬剤師コードと認証薬剤師の薬剤師コードとが一致せず、指定されている担当薬剤師が認証薬剤師ではない場合（ステップＣ９；Ｎ）、担当薬剤師が他の薬剤師に指定されていることを警告する警告メッセージが表示部３３に表示され（ステップＣ１１）、指定制限を解除するか否かを問うガイダンスが行われる。薬剤師は、担当薬剤師が他の薬剤師に指定されているため選択した患者の担当を取り止める場合、指定制限を解除しないことを選択入力し、担当薬剤師が他の薬剤師に指定されているが、それを踏まえた上で受付患者の調剤を担当する場合は、指定制限を解除することを選択入力する。
【００８６】
携帯端末３０ａでは、指定制限の解除が指示されたか否かが判別され（ステップＣ１２）、指定制限の解除が指示されなかった場合は（ステップＣ１２；Ｎ）、ステップＣ３の処理に戻り、患者選択画面３３２において操作入力が待機される。一方、指定制限の解除が指示された場合は（ステップＣ１２；Ｙ）、ステップＣ１０の後算定処理に移行する。
【００８７】
図１９を参照して、ステップＣ１０の後算定処理について説明する。なお、この後算定処理に移行した場合には、後算定対象の受付患者の処方箋データの受付番号、認証薬剤師の薬剤師コード、服薬指導の指導開始時間（後算定処理が開始された時刻）が指導データファイル３６５に書き込まれるとともに、これらの情報が服薬指導が開始されたことを示す通知情報としてレセプトコンピュータ１０に送信される。レセプトコンピュータ１０では、携帯端末３０ａから送信された通知情報に基づいて、指導データファイル１６５に処方箋データの受付番号、担当薬剤師コード、指導開始時間が書き込まれる。
【００８８】
図１９に示す後算定処理では、まず図２０（ａ）に示す後算定画面３３８が表示部３３に表示され、指導内容に応じた指導管理料金の算定項目が選択可能に表示される（ステップＧ１）。図２０（ａ）に示すように、後算定画面３３８では、画面上部に患者選択画面３３２において選択された受付患者の患者ＩＤ、氏名等が表示され、その下に算定項目がその加算点数とともに選択可能に表示される。また、後算定画面３３８には処方表示キーｋ５が設けられ、この処方表示キーｋ５が操作されると、今回受け付けた処方箋データに基づいて、調剤する薬剤の名称、分量等の情報が表示された処方箋画面３３９（図２０（ｂ）参照）が表示される。薬剤師は、この処方箋画面３３９により今回の処方内容を確認しながら調剤作業を行うことができ、調剤を終えて服薬指導を行う際には後算定画面３３８に戻ってその指導内容に応じた算定項目を選択することにより後算定を行うことができる。
【００８９】
また、後算定画面３３８には、この受付患者の次回の担当薬剤師を選択指定することができる指定キーｋ６が設けられる（ステップＧ２）。この指定キーｋ６が操作されると、図２０（ａ）に示すようなプルダウンメニューｐｍが表示され、プルダウンメニューｐｍでは次回の担当薬剤師を指定するか否か、そして指定する場合は今回の担当薬剤師に指定する、或いは前回の担当薬剤師に指定する、の各選択項目が表示される。
【００９０】
この後算定画面３３８において、各算定項目が選択されると、選択された算定項目の確定が指示されたか否かが判別される（ステップＧ３）。確定が指示されていない場合は（ステップＧ３；Ｎ）、ステップＧ１の処理に戻って算定項目の選択が継続され、確定が指示された場合は（ステップＧ３；Ｙ）、選択された算定項目に応じた指導管理料金の算定処理が行われる（ステップＧ４）。また、このとき、処方箋データに基づいて調剤料金も算定されることとする。
【００９１】
算定処理が終了すると、選択された算定項目に応じた指導コード、指導終了時間（算定が確定した時刻）が指導データファイル１６５に書き込まれるとともに、算定処理により算出された指導管理料金、調剤料金等が会計データファイル３６６に書き込まれてデータ登録される（ステップＧ５）。このとき、算定項目処方箋データの受付番号、選択された算定項目に対応する指導コード、指導終了時間の各情報がレセプトコンピュータ１０に送信される。レセプトコンピュータ１０では、送信された各情報が指導データファイル１６５に書き込まれる。
【００９２】
次いで、各ファイル３６３〜３６６から今回の処方箋の受付年月日、受付番号、受付患者の患者ＩＤ、指導時間、担当薬剤師の薬剤師コード、待ち時間、選択された算定項目に対応する指導コードの各情報が取得され、これら各情報が今回の調剤に関する過去指導データとして過去指導データファイル３６７に格納される（ステップＧ６）。なお、過去指導データとして、過去の調剤回数や服薬指導時の注意点等、その他のデータを含むこととしてもよい。
【００９３】
次いで、後算定画面３３８のプルダウンメニューｐｍにおいて次回の担当薬剤師が選択指定されたか否かが判別される（ステップＧ７）。次回の担当薬剤師が選択指定された場合（ステップＧ７；Ｙ）、選択指定された薬剤師の薬剤師コードが過去指導データの指定薬剤師コードの項目に書き込まれ（ステップＧ８）、プルダウンメニューｐｍにおいて未指定の項目が選択され、次回の担当薬剤師が指定されなかった場合（ステップＧ７；Ｎ）、過去指導データの指定薬剤師コードの項目に次回の担当薬剤師が未指定であることを示す未指定コードが書き込まれる（ステップＧ９）。
【００９４】
過去指導データに次回の担当薬剤師の項目が書き込まれると、後算定が行われた年月日及び後算定された処方箋データの受付番号から後算定インデックスデータが生成され、当該後算定インデックスデータがレセプトコンピュータ１０の後算定インデックスフォルダ１５２に書き込まれる。レセプトコンピュータ１０では、一定時間毎に後算定インデックスフォルダ１５２に格納される後算定インデックスデータが参照され、新規の後算定インデックスデータが有ればその処方箋データの会計が終了したと判断される。
次いで、携帯端末３０ａでは後算定処理を終了し、次の処理、つまり図１０に示すステップＢ１の処理に戻って、以上説明した処理が繰り返される。
【００９５】
以上のように、調剤時に処理された処方箋データ、指導データ、会計データ等に基づき、調剤年月日や受付患者の待ち時間、担当薬剤師等の調剤時の状況を示す過去指導データを生成してその受付患者に対応付けて記憶し、次回の調剤に選択された受付患者に対応する過去指導データを表示するので、表示された過去指導データにより、薬剤師は各受付患者の過去の調剤時における状況を確認することができ、今回の調剤又は服薬指導等の参考とすることができる。従って薬剤師の調剤又は服薬指導等の業務の効率が向上する。
【００９６】
また、受付患者の一覧リストである待ち患者リストを表示する際には、過去指導データに基づき、調剤を行う薬剤師として認証された認証薬剤師が前回の担当薬剤師であると判別された受付患者が識別表示され、かつ一覧リストの先頭に配列されて表示されるので、薬剤師は前回担当した受付患者を容易に認識することができる。従って、このような一覧リストから前回担当した受付患者を選択することにより薬局に複数の薬剤師が存在する場合でも１人の患者に対して常時同一の薬剤師が担当することが可能となる。
【００９７】
さらに、待ち患者リストにおいて、受付患者の待ち時間が長い順等、受付状況に応じてその表示順を変更することができるので、薬剤師が受付患者を選択しやすい表示順に変更することができる。また、その表示順の変更条件を指定することができるので、薬剤師が所望する条件に従った表示順に変更することができる。
【００９８】
また、過去指導データに基づいて、各受付患者を今回の担当薬剤師が前回と同一か否か、前回の調剤からの経過日数に応じてそれぞれランクを設定し、待ち患者リストにおいて各受付患者に設定されたランクを付与して表示するので、薬剤師はランクにより受付患者の調剤に係る状況を容易に確認することができる。
【００９９】
さらに、調剤時に、調剤を行った受付患者の次回の担当薬剤師を指定可能とし、過去指導データとして、指定された指定薬剤師の薬剤師コードをその受付患者の患者ＩＤと対応付けて記憶し、次回の調剤時に指定薬剤師以外の薬剤師によりその受付患者の後算定が指示されると警告メッセージを表示させて後算定、調剤が実行できないよう制御するので、指定薬剤師のみがその受付患者の調剤を行うよう設定することができ、受付患者に専用のかかりつけ薬剤師を設定することができる。
【０１００】
また、次回の担当薬剤師が指定されている場合でも、警告メッセージの表示後、指定解除を指示する等の所定操作により、その担当薬剤師の指定を解除するので、指定薬剤師が不在の場合、指定を解除して他の薬剤師が担当する等、調剤業務の状況に応じて対応することができ、調剤業務の効率が良い。
【０１０１】
なお、本実施形態における記述内容は、本発明を適用した調剤支援システム１００の好適な一例であり、これに限定されるものではない。
【０１０２】
例えば、上述した説明では、調剤支援システム１００は、レセプトコンピュータ１０と、携帯端末３０ａ〜３０ｃからなる構成としたが、薬局の規模が小さく携帯端末の必要性が少ない場合等はレセプトコンピュータ１０のみの構成としてもよい。この場合、携帯端末３０ａ〜３０ｃにおいて実現される機能をレセプトコンピュータ１０において実現することとする。或いは、レセプトコンピュータ１０の機能を各携帯端末３０ａ〜３０ｃにおいて実現することとし、携帯端末３０ａ〜３０ｃのみの構成としてもよい。この場合、受付から服薬指導までを一貫して携帯端末３０ａ〜３０ｃにおいて行うことができ、利便性が向上する。
【０１０３】
その他、本実施形態における調剤支援システム１００の細部構成及び細部動作に関しても、本発明の趣旨を逸脱することのない範囲で適宜変更可能である。
【図面の簡単な説明】
【０１０４】
【図１】本発明を適用した実施の形態における調剤支援システム１００のシステム構成を示す図である。
【図２】レセプトコンピュータ１０の内部構成を示す図である。
【図３】（ａ）は受付インデックスフォルダ１５１のデータ構成例を示す図であり、（ｂ）は後算定インデックスフォルダ１５２のデータ構成例を示す図である。
【図４】（ａ）は薬剤師登録テーブル１６１のデータ構成例を示す図であり、（ｂ）は指導管理項目テーブル１６２のデータ構成例を示す図である。
【図５】（ａ）は患者マスタファイル１６３のデータ構成例を示す図であり、（ｂ）は処方箋データファイル１６４のデータ構成例を示す図である。
【図６】（ａ）は指導データファイル１６５のデータ構成例を示す図であり、（ｂ）は会計データファイル１６６のデータ構成例を示す図である。
【図７】過去指導データファイル１６７のデータ構成例を示す図である。
【図８】携帯端末３０ａの内部構成を示す図である。
【図９】レセプトコンピュータ１０により実行される処方箋入力処理を説明するフローチャートである。
【図１０】携帯端末３０ａにより実行されるデータ読込処理を説明するフローチャートである。
【図１１】携帯端末３０ａにより実行される情報表示処理を説明するフローチャートである。
【図１２】携帯端末３０ａにより実行される待ち患者表示処理を説明するフローチャートである。
【図１３】携帯端末３０ａにおける表示画面例を示す図であり、（ａ）は薬剤師の認証画面であり、（ｂ）は患者選択画面を示す図である。
【図１４】携帯端末３０ａにより実行される表示順変更処理を説明するフローチャートである。
【図１５】携帯端末３０ａにおいて表示される表示順指定画面例を示す図である。
【図１６】携帯端末３０ａにより実行されるランク付け処理を説明するフローチャートである。
【図１７】携帯端末３０ａにおける表示画面例を示す図であり、（ａ）はランク付けされた患者選択画面を示す図であり、（ｂ）はランク設定説明画面である。
【図１８】携帯端末３０ａにおいて表示される指導履歴画面例を示す図である。
【図１９】携帯端末３０ａにより実行される後算定処理を説明するフローチャートである。
【図２０】携帯端末３０ａにおける表示画面例を示す図であり、（ａ）は後算定画面を示す図であり、（ｂ）は処方箋画面を示す図である。
【符号の説明】
【０１０５】
１００    調剤支援システム
１０    レセプトコンピュータ
１１    制御部
１２    入力部
１３    表示部
１４    通信部
１５    ＲＡＭ
１５１    受付インデックスフォルダ
１５２    後算定インデックスフォルダ
１６    記憶部
１６１    薬剤師登録テーブル
１６２    指導管理項目テーブル
１６３    患者マスタファイル
１６４    処方箋データファイル
１６５    指導データファイル
１６６    会計データファイル
１６７    過去指導データファイル
１７    Ｉ／Ｆ
１０ａ    プリンタ
３０ａ〜３０ｃ    携帯端末
３１    制御部
３２    入力部
３３    表示部
３４    通信部
３５    ＲＡＭ
３６    記憶部
３６１    薬剤師登録テーブル
３６２    指導管理項目テーブル
３６３    患者マスタファイル
３６４    処方箋データファイル
３６５    指導データファイル
３６６    会計データファイル
３６７    過去指導データファイル
【図１】
2005245763.tif 000003
【図２】
2005245763.tif 000004
【図３】
2005245763.tif 000005
【図４】
2005245763.tif 000006
【図５】
2005245763.tif 000007
【図６】
2005245763.tif 000008
【図７】
2005245763.tif 000009
【図８】
2005245763.tif 000010
【図９】
2005245763.tif 000011
【図１０】
2005245763.tif 000012
【図１１】
2005245763.tif 000013
【図１２】
2005245763.tif 000014
【図１３】
2005245763.tif 000015
【図１４】
2005245763.tif 000016
【図１５】
2005245763.tif 000017
【図１６】
2005245763.tif 000018
【図１７】
2005245763.tif 000019
【図１８】
2005245763.tif 000020
【図１９】
2005245763.tif 000021
【図２０】
2005245763.tif 000022